(57)【要約】【課題】  広範囲な筋肉部位や複合器官または体の深部に対して簡便に干渉低周波刺激を印可する装置を提供する。【解決手段】  従来の干渉低周波刺激装置は４個の電極により１個の干渉領域を発生していたが、さらに電極を２個または４個追加して２個また３個の干渉領域を発生することにより従来の１個の干渉領域では実現できなかった多彩な治療を実現し、さらに高度な治療等を家庭でも実施できる手段を提供する。【選択図】図１２
2018079264.tif 000002
【特許請求の範囲】
【請求項１】
装置は周波数が１ｋＨｚ以上である交流刺激信号を発生する第一の信号源と周波数が第一の信号源の周波数と同一ではなく２００Ｈｚ以下の差である交流刺激信号を発生する第二の信号源と被治療者の身体に装着する第一から第六の電極を持ち、第一の電極と第三の電極はともに第一の信号源の一端に接続され、第二の電極は第一の信号源の他端に接続され、第四の電極と第六の電極はともに第二の信号源の一端に接続され、第五の電極は第二の信号源の他端に接続され、第一の電極と第二の電極が発生する電界を第一の電界とし、第二の電極と第三の電極が発生する電界を第二の電界とし、第四の電極と第五の電極が発生する電界を第三の電界とし、第五の電極と第六の電極が発生する電界を第四の電界としたとき、第一の電極と第二の電極および第四の電極と第五の電極は第一の電界と第三の電界が空間で交差するように配置されて第一の干渉領域を発生し、第三の電極および第六の電極は第二の電界と第四の電界が空間で交差するように配置されて第二の干渉領域を発生することを特徴とする干渉低周波治療装置。
【請求項２】
装置は周波数が１ｋＨｚ以上である交流刺激信号を発生する第一の信号源と周波数が第一の信号源と同一ではなく２００Ｈｚ以下の差である交流刺激信号を発生する第二の信号源と被治療者の身体に装着する第一から第八の電極を持ち、第一の電極と第三の電極はともに第一の信号源の一端に接続され、第二の電極と第七の電極はともに第一の信号源の他端に接続され、第四の電極と第六の電極はともに第二の信号源の一端に接続され、第五の電極と第八の電極はともに第二の信号源の他端に接続され、第一の電極と第二の電極が発生する電界を第一の電界とし、第二の電極と第三の電極が発生する電界を第二の電界とし、第四の電極と第五の電極が発生する電界を第三の電界とし、第五の電極と第六の電極が発生する電界を第四の電界とし、第三の電極と第七の電極が発生する電界を第五の電界とし、第六の電極と第八の電極が発生する電界を第六の電界としたとき、第一の電極と第二の電極および第四の電極と第五の電極は第一の電界と第三の電界が空間で交差するように配置されて第一の干渉領域を発生し、第三の電極および第六の電極は第二の電界と第四の電界が空間で交差するように配置されて第二の干渉領域を発生し、第七の電極と第八の電極は第五の電界と第六の電界が空間で交差するように配置されて第三の干渉領域を発生することを特徴とする干渉低周波治療装置。
【請求項３】
装置は周波数が１ｋＨｚ以上である交流刺激信号を発生する第一の信号源と周波数が第一の信号源の周波数と同一ではなく２００Ｈｚ以下の差である交流刺激信号を発生する第二の信号源と被治療者の身体に装着する第一から第八の電極を持ち、第一の電極と第三の電極と第七の電極はともに第一の信号源の一端に接続され、第二の電極は第一の信号源の他端に接続され、第四の電極と第六の電極と第八の電極はともに第二の信号源の一端に接続され、第五の電極は第二の信号源の他端に接続され、第一の電極と第二の電極が発生する電界を第一の電界とし、第二の電極と第三の電極が発生する電界を第二の電界とし、第四の電極と第五の電極が発生する電界を第三の電界とし、第五の電極と第六の電極が発生する電界を第四の電界とし、第二の電極と第七の電極が発生する電界を第五の電界とし、第五の電極と第八の電極が発生する電界を第六の電界としたとき、第一の電極と第二の電極および第四の電極と第五の電極は第一の電界と第三の電界が空間で交差するように配置されて第一の干渉領域を発生し、第三の電極および第六の電極は第二の電界と第四の電界が空間で交差するように配置されて第二の干渉領域を発生し、第七の電極と第八の電極は第五の電界と第六の電界が空間で交差するように配置されて第三の干渉領域を発生することを特徴とする干渉低周波治療装置。
【請求項４】
装置は請求項１に記載の装置であって、請求項１における第一の電極と第四の電極は腹直筋上部の正中線の両側に配置され、第二の電極と第五の電極は腹直筋中部の正中線の両側に配置され、第三の電極と第六の電極は腹直筋下部の正中線の両側に配置されることを特徴とする干捗低周波治療装置。
【請求項５】
装置は請求項１に記載の装置であって、請求項１における第一の電極と第四の電極は脊柱起立筋上部の脊柱の両側に配置され、第二の電極と第五の電極は脊柱起立筋中部の脊柱の両側に配置され、第三の電極と第六の電極は脊柱起立筋下部の脊柱の両側に配置されることを特徴とする干渉低周波治療装置。
【請求項６】
装置は請求項２に記載の装置であって、請求項２における第一の電極と第四の電極は腹直筋上部の正中線の両側に配置され、第二の電極と第五の電極は腹直筋中部の正中線の両側に配置され、第三の電極と第六の電極は両側の鼠蹊部に配置され、第七の電極と第八の電極は両側の臀部に配置されることを特徴とする干渉低周波治療装置。
【請求項７】
装置は請求項１に記載の装置であって、請求項１における第二の電極と第四の電極は膝頭の大腿側に配置され、第一の電極と第五の電極は膝頭の下腿側に配置され、第三の電極は膝窩部の下腿側に配置され、第六の電極は膝窩部の大腿側に配置されることを特徴とする干渉低周波治療装置。
【請求項８】
装置は請求項１に記載の装置であって、請求項１における第二の電極と第四の電極は肘の上腕部に配置され、第一の電極と第五の電極は肘の前腕部に配置され、第三の電極は肘の裏側の前腕部に配置され第六の電極は肘の裏側の上腕部に配置されることを特徴とする干渉低周波治療装置。
【請求項９】
装置は請求項１に記載の装置であって、請求項１における第二の電極と第四の電極は肩の首側に配置され、第一の電極と第五の電極は肩の腕側に配置され、第三の電極は脇の腕側に配置され第六の電極は脇の胴側に配置されることを特徴とする干渉低周波治療装置。
【請求項１０】
装置は請求項１に記載の装置であって、請求項１における第一の電極と第四の電極は腹直筋中部の正中線の両側に配置され、第二の電極と第五の電極は腹直筋下部の正中線の両側に配置され、第三の電極と第六の電極は両側の臀部下部に配置されることを特徴とする干渉低周波治療装置。
【請求項１１】
装置は請求項３に記載の装置であって、請求項３における第一の電極と第四の電極は腹直筋中部の正中線の両側に配置され、第二の電極と第五の電極は両側の鼠蹊部に配置され、第三の電極と第六の電極は両側の臀部下部に配置され第七の電極と第八の電極は仙骨の両側に配置されることを特徴とする干渉低周波治療装置。
【請求項１２】
装置は請求項１に記載の装置であって、請求項１における第二の電極と第五の電極は両側の鼠蹊部に配置され、第一の電極と第四の電極は仙骨の上部の両側に配置され、第三の電極と第六の電極は仙骨の下部の両側に配置されることを特徴とする干渉低周波治療装置。
【請求項１３】
装置は被治療者の身体に装着する電極が帯状の布に固定された電極部と刺激信号源を収納した信号源部を持ち、電極部と信号源部がケーブルによって接続されることを特徴とする干渉低周波治療装置。
【請求項１４】
装置は請求項１３に記載の特徴を持つ請求項１から請求項１２のいずれかに記載の干渉低周波治療装置。
【発明の詳細な説明】
【０００１】  低周波治療装置
【技術分野】
【０００２】  本発明は異なる周波数の２種類の刺激信号を身体に印可してその干渉低周波により治療を行う干渉低周波治療装置に関する。
【背景技術】
【０００３】  従来の電気刺激は筋肉訓練や疼痛を緩和するために筋肉や神経に対して電気刺激を与える経皮の刺激治療である。【０００４】  電気刺激法の進歩によりリンパ液の流動促進や静脈循環の改善や膀胱平滑筋の安定や関節嚢液の流動促進や大小腸の過蠕動の阻止或いは蠕動の促進やさらに骨盤底筋強化などの治療手法が開発され、これらの手法によって膝や腰や肩の退化性関節炎治療やさらに尿失禁や肛失禁や頻尿や便秘の治療に利用されている。【０００５】  関節や臓器など体の深部まで作用させるには、単純な２００Ｈｚ以下の刺激信号では身体の抵抗が大きく効果は望めない。【０００６】  そこで身体に刺激としてはあまり感じずかつ身体の抵抗が低い数ＫＨｚの周波数の信号源を２個用意し、その周波数を身体に刺激として生理的効果のある２００ＨＺ以下の差をつけることにより干渉低周波領域を発生し身体の深部まで刺激を与える手法が一般的である。
【発明の開示】
【発明が解決しようとする課題】
【０００７】  通常の干渉低周波治療装置は２個の信号源と４個の電極を有して１個の干渉領域を発生させるが、腹直筋や脊柱起立筋のような大きな筋肉に対しては干渉領域の面積を十分大きくすることが困難であり、さらに刺激を与える器官は通常一カ所に限定される。【０００８】  また電極の位置は対象とする器官に対して正確に配置されなければならずさらにその接続方法は複雑で現状では専門の治療師などに頼らざるを得ない。
【課題を解決するための手段】
【０００９】  以下治療等とは患部の治療並びに筋肉の強化訓練を表す。【００１０】  上記の課題を解決するため請求項１から請求項３の発明は周波数の異なる第一の信号源２ａと第二の信号源２ｂおよび第一の電極３１から第六の電極３６または第一の電極３１から第八の電極３８を用意し、その接続と電極配置により空間に２個または３個の独立した干渉領域を発生させて広範囲の領域や複数の器官に対して同時に刺激を与える手段を提供する。【００１１】  請求項４から請求項１２の発明は請求項１から請求項３の発明を身体の各部位に適用するための具体的な電極配置を提供する。【００１２】  請求項１３と請求項１４の発明は電極を帯状の電極固定布５１に固定することにより身体への電極の装着を正確かつ容易にして家庭での治療等を可能にする手段を提供する。
【発明を実施するための最良の形態】
【００１３】  請求項１の発明は６個の電極により空間に２個の干渉領域を発生させる場合の電極配置と接続に関する。【００１４】  図１に請求項１の発明の接続と電極配置を示す。【００１５】  本装置は周波数が１ｋＨｚ以上である交流刺激信号を発生する第一の信号源２ａと周波数が第一の信号源の周波数と同一ではなく２００Ｈｚ以下の差の周波数である交流刺激信号を発生する第二の信号源２ｂおよび被治療者の身体に装着する第一の電極３１から第六の電極３６を持つ。【００１６】  第一の電極３１と第三の電極３３はともに第一の信号源２ａの一端に接続され、第二の電極３２は第一の信号源２ａの他端に接続され、第四の電極３４と第六３６の電極はともに第二の信号源２ｂの一端に接続され、第五の電極３５は第二の信号源２ｂの他端に接続される。【００１７】  この接続において第一の信号源２ａの両端に接続された第一の電極３１と第二の電極３２が発生する電界を第一の電界３ａとし、第二の信号源２ｂの両端に接続された第四の電極３４と第五の電極３５が発生する電界を第三の電界３ｃとしたとき第一の電極３１と第二の電極３２および第四の電極３４と第五の電極３５は第一の電界３ａと第三の電界３ｃが空間で交差するように配置される。【００１８】  この電極配置により第一の電界３ａと第三の電界３ｃが交差する空間には第一の信号源２ａの周波数と第二の信号源２ｂの周波数の差の周波数で変調された第一の干渉領域４１が発生する。【００１９】  また第一の信号源２ａの両端に接続された第二の電極３２と第三の電極３３が発生する電界を第二の電界３ｂとし第二の信号源２ｂの両端に接続された第五の電極３５と第六の電極３６が発生する電界を第四の電界３ｄとしたとき第三の電極３３および第六の電極３６は第二の電界３ｂと第四の電界３ｄが空間で交差するように配置される。【００２０】  この電極配置により第二の電界３ｂと第四の電界３ｄが交差する空間には第一の信号源２ａの周波数と第二の信号源２ｂの周波数の差の周波数で変調された第二の干渉領域４２が発生する。【００２１】  この接続と電極配置により空間に２個の干渉領域４１と４２を発生することができる。【００２２】  請求項２の発明は８個の電極により空間に直列に３個の干渉領域を発生させる場合の電極配置と接続に関する。【００２３】  図２に請求項２の発明の接続と電極配置を示す。【００２４】  装置は請求項１と同様異なる周波数の第一の信号源２ａ第二の信号源２ｂを持ちさらに第一の電極３１から第八の電極３８を持つ。【００２５】  第一の電極３１と第三の電極３３はともに第一の信号源２ａの一端に接続され、第二の電極３２と第七電極の３７はともに第一の信号源２ａの他端に接続され、第四の電極３４と第六の電極３６はともに第二の信号源２ｂの一端に接続され、第五の電極３５と第八の電極３８はともに第二の信号源２ｂの他端に接続される。【００２６】  この接続において第一の信号源２ａの両端に接続された第一の電極３１と第二の電極３２が発生する電界を第一の電界３ａとし、第二の信号源２ｂの両端に接続された第四の電極３４と第五の電極３５が発生する電界を第三の電界３ｃとしたとき第一の電極３１と第二の電極３２および第四の電極３４と第��の電極３５は第一の電界３ａと第三の電界３ｃが空間で交差するように配置される。【００２７】  この電極配置により第一の電界３ａと第三の電界３ｃが交差する空間には第一の信号源２ａの周波数と第二の信号源２ｂの周波数の差の周波数で変調された第一の干渉領域４１が発生する。【００２８】  また第一の信号源２ａの両端に接続された第二の電極３２と第三の電極３３が発生する電界を第二の電界３ｂとし、第二の信号源２ｂの両端に接続された第五の電極３５と第六の電極３６が発生する電界を第四の電界３ｄとしたとき第三の電極３３および第六の電極３６は第二の電界３ｂと第四の電界３ｄが空間で交差するように配置される。【００２９】  この電極配置により第二の電界３ｂと第四の電界３ｄが交差する空間には第一の信号源２ａの周波数と第二の信号源２ｂの周波数の差の周波数で変調された第二の干渉領域４２が発生する。【００３０】  さらに第一の信号源の両端に接続された第三の電極３３と第七の電極３７が発生する電界を第五の電界３ｅとし、第二の信号源の両端に接続された第六の電極３６と第八の電極３８が発生する電界を第六の電界３ｆとしたとき第七の電極３７および第八の電極３８は第五の電界３ｅと第六の電界３ｆが空間で交差するように配置される。【００３１】  この電極配置により第五の電界３ｅと第六の電界３ｆが交差する空間には第一の信号源２ａの周波数と第二の信号源２ｂの周波数の差の周波数で変調された第三の干渉領域４３が発生する。【００３２】  この接続と電極配置により空間に直列に３個の干渉領域４１と４２と４３を発生することができる。【００３３】  請求項３の発明は８個の電極により空間に並列に３個の干渉領域を発生させる場合の電極配置と接続に関する。【００３４】  図３に請求項３の発明の接続と電極配置を示す。【００３５】  装置は請求項２と同様異なる周波数の第一の信号源２ａ第二の信号源２ｂと第一の電極３１から第八の電極３８を持つ。【００３６】  第二の電極３２と第五の電極３５の対に対向して第一の電極３１と第四の電極３４の対および第三の電極３３と第六の電極３６の対ならびに第七の電極３７と第八の電極３８の対が配置される。【００３７】  さらに第一の電極３１と第三の電極３３と第七の電極３７はともに第一の信号源２ａの一端に接続され、第二の電極３２は第一の信号源２ａの他端に接続され、第四の電極３４と第六の電極３６と第八の電極３８はともに第二の信号源２ｂの一端に接続され、第五の電極は第二の信号源２ｂの他端に接続される。【００３８】  この接続において第一の信号源２ａの両端に接続された第一の電極３１と第二の電極３２が発生する電界を第一の電界３ａとし、第二の信号源２ｂの両端に接続された第四の電極３４と第五の電極３５が発生する電界を第三の電界３ｃとしたとき第一の電極３１と第二の電極３２および第四の電極３４と第五の電極３５は第一の電界３ａと第三の電界３ｃが空間で交差するように配置される。【００３９】  この電極配置により第一の電界３ａと第三の電界３ｃが交差する空間には第一の信号源２ａの周波数と第二の信号源２ｂの周波数の差の周波数で変調された第一の干渉領域４１が発生する。【００４０】  また第一の信号源の２ａ両端に���続された第二の電極３２と第三の電極３３が発生する電界を第二の電界３ｂとし、第二の信号源２ｂの両端に接続された第五の電極３５と第六の電極３６が発生する電界を第四の電界３ｄとしたとき第三の電極３３および第六の電極３６は第二の電界３ｂと第四の電界３ｄが空間で交差するように配置される。【００４１】  この電極配置により第二の電界３ｂと第四の電界３ｄが交差する空間には第一の信号源２ａの周波数と第二の信号源２ｂの周波数の差の周波数で変調された第二の干渉領域４２が発生する。【００４２】  さらに第一の信号源２ａの両端に接続された第二の電極３２と第七の電極３７が発生する電界を第五の電界３ｅとし、第二の信号源２ｂの両端に接続された第五の電極３５と第八の電極３８が発生する電界を第六の電界３ｆとしたとき第七の電極３７および第八の電極３８は第五の電界３ｅと第六の電界３ｆが空間で交差するように配置される。【００４３】  この電極配置により第五の電界３ｅと第六の電界３ｆが交差する空間には第一の信号源２ａの周波数と第二の信号源２ｂの周波数の差の周波数で変調された第三の干渉領域４３が発生する。【００４４】  この接続と電極配置により空間に並列に３個の干渉領域４１と４２と４３を発生することができる。【００４５】  図４に請求項４の発明の実施例を示す。【００４６】  本発明は請求項１の発明を腹直筋に適用するものである。【００４７】  図４に示すように  第一の電極３１と第四の電極３４を腹直筋上部の正中線の両側に配置し、第二の電極３２と第五３５の電極を腹直筋中部の正中線の両側に配置して第一の干渉領域４１を発生させることにより腹直筋の上部を刺激する。【００４８】  また第三の電極３３と第六の電極３６を腹直筋下部の正中線の両側に配置して第二の電極３２と第五の電極３５とともに第二の干渉領域４２を発生させることにより腹直筋の下部を刺激する。【００４９】  この電極の配置により第一の干渉領域４１と第二の干渉領域４２が腹直筋全体を覆って効果的に刺激を与えることができる。  図５に請求項５の発明の実施例を示す。【００５０】  本発明は請求項１の発明を脊柱起立筋に適用するものである。【００５１】  図５に示すように  第一の電極３１と第四の電極３４を脊柱起立筋上部の脊柱の両側に配置し、第二の電極３２と第五３５の電極を脊柱起立筋中部の脊柱の両側に配置して第一の干渉領域４１を発生させることにより脊柱起立筋の上部を刺激する。【００５２】  また第三の電極３３と第六の電極３６を脊柱起立筋下部の脊柱の両側に配置して第二の電極３２と第五の電極３５とともに第二の干渉領域４２を発生させることにより脊柱起立筋の下部を刺激する。【００５３】  この電極の配置により第一の干渉領域４１と第二の干渉領域４２が脊柱起立筋全体を覆って効果的に刺激を与えることができる。【００５４】  図６に請求項６の発明の実施例を示す。【００５５】  本発明は請求項２の発明を腹直筋と骨盤底筋に適用するものである。【００５６】  図６に示すように  第一の電極３１と第四の電極３４を腹直筋上部の正中線の両側に配置し、第二の電極３２と第五３５の電極を腹直筋中部の正中線の両側に配置して第一の干渉領域４１を発生させることにより腹直筋の上部を刺激する。【００５７】  また第三の電極３３と第六の電極３６を腹直筋下部の正中線の両側に配置して第二の電極３２と第五の電極３５とともに第二の干渉領域４２を発生させることにより腹直筋の下部を刺激する。【００５８】  さらに第七の電極３７と第八の電極３８を両側の臀部に配置して第三の電極３３と第六の電極３６とともに第三の干渉領域４３を発生させることにより骨盤底筋を刺激する。【００５９】  この電極の配置により腹直筋全体と骨盤底筋に同時に刺激を与えることができる。【００６０】  請求項７と請求項８および請求項９の発明は請求項１の発明を各々膝と肘および肩の関節に適用するものである。【００６１】  これらの関節は構造がおおむね同じなので膝の関節について図７および図８に実施例を示す。【００６２】  図７は膝を正面から見た図である。【００６３】  図８は膝を側面から見た図である。【００６４】  第二の電極３２と第四の電極３４を膝頭の大腿側に配置し第一の電極３１と第五の電極３５を膝頭の下腿側に配置して第一の干渉領域４１を膝関節の正面に発生させることにより痛点を刺激する。【００６５】  さらに第三の電極３３を膝窩部の下腿側に配置し第六の電極３６を膝窩部の大腿側に配置して第二の電極３２と第五の電極３５とともに第二の干渉領域４２を発生させることにより関節液やリンパ液の循環を促す。【００６６】  この電極配置により関節の疼痛を緩和し同時に関節液やリンパ液の循環を促すことができる。【００６７】  図９に請求項１０の発明の実施例を示す。【００６８】  本発明は請求項１の発明を腹直筋下部および骨盤底筋に適用するものである。【００６９】  図６に示すように第一の電極３１と第四の電極３４を臍部の正中線の両側に配置され第二の電極３２と第五の電極３５を腹直筋下部の正中線の両側に配置して第一の干渉領域４１を発生させることにより腹直筋下部を刺激する。【００７０】また第三の電極３３と第六の電極３６を両側の臀部下部に配置して第二の電極３２と第五の電極３５とともに第二の干渉領域４２を発生させることにより骨盤底筋を刺激する。【００７１】  この電極配置により腹直筋下部および骨盤底筋に同時に刺激を与えることができる。【００７２】  図１０に請求項１１の発明の実施例を示す。【００７３】  本発明は請求項３の発明を腹直筋下部と子宮と骨盤底筋に適用するものである。【００７４】  図１０に示すように  第一の電極３１と第四の電極３４を臍部の正中線の両側に配置し第二の電極３２と第五の電極３５を両側の鼠蹊部に配置して第一の干渉領域４１を発生させることにより腹直筋下部を刺激する。【００７５】また第三の電極３３と第六の電極３６を両側の臀部下部に配置して第二の電極３２と第五の電極３５とともに第二の干渉領域４２を発生することにより骨盤底筋を刺激する。【００７６】さらに第七の電極３７と第八の電極３８を仙骨の両側に配置して第二の電極３２と第五の電極３５とともに第三の干渉領域４３を発生させることにより子宮を刺激する。【００７７】  この電極配置により腹直筋下部および骨盤底筋並びに子宮に同時に刺激を与え産後の回復を促進することができる。図１１に請求項１２の発明の実施例を示す。【００７８】本発明は請求項１の発明を子���全体に適用するものである。  図１１に示すように  第二の電極３２と第五の電極３５を両側の鼠蹊部に配置し第一の電極３１と第四の電極３４を仙骨上部の両側に配置して第一の干渉領域４１を発生させることにより子宮上部を刺激する。【００７９】また第三の電極３３と第六の電極３６を仙骨の下部の両側に配置して第二の電極３２と第五の電極３５とともに第二の干渉領域４２を発生させることにより子宮下部を刺激する。【００８０】  この電極配置により子宮全体に刺激を与え生理痛を緩和することができる。【００８１】  図１２から図１４により請求項１３および請求項１４の発明を説明する。【００８２】  以下請求項１３の発明を請求項７に対して適用する場合を例に示す。【００８３】  装置は図１２に示すように帯状の電極固定布５１とそれに固定された第一の電極３１から第六の電極３６と電極コネクター５２で構成される電極部５８および第一の信号源２ａ並びに第二の信号源２と信号源コネクター５７で構成される信号源部５６を持ち、電極部５８と信号源部５６はその両端に各々電極側コネクター５３と信号源側コネクター５５を持つケーブル５４で接続される。【００８４】  電極固定布５１の素材は弾力のある布で、端部にマジックテープを装着するのが望ましい。【００８５】  電極部５８は洗濯に耐えることが望ましい。【００８６】  図１３に電極部５８と信号源部５６およびケーブル５４の接続を示す。【００８７】  第一の電極３１から第六の電極３６は電極部５８の電極コネクター５２とケーブル５４および信号源部の信号源コネクター５７を介して第一の信号源２ａおよび第二の信号源２ｂに接続されることにより請求項１に記載の接続が実現される。【００８８】  さらに図１４に電極部を膝に装着した状態を示す。【００８９】  この装着により請求項１に記載の電極配置が実現される。【００９０】  図１２に示す電極配置と図１３に示す接続並びに図１４に示す装着によって図１４に示すように第一の干渉領域４１および第二の干渉領域４２を発生させることにより膝の痛点と関節内部に刺激を与えることができ、かつ膝への装着が正確で簡単に実施できて従来困難であった家庭での高度な治療等が可能になる。【００９１】  以上請求項１３の発明を請求項７に適用する例を示したが、請求項１３は電極部５８を適宜設計することにより他の部位に適用できることは自明である。
【発明の効果】
【００９２】  本発明により広範囲の器官に刺激を与えることが可能となる。
【００９３】  複数の器官や体の深部に刺激を与えることが可能となる。
【００９４】  高度な治療等を家庭でも実施することが可能となる。
【図面の簡単な説明】
【００９５】
【図２】は８個の電極により空間に直列に３個の干渉領域を発生させる場合の電極配置と接続を示す。
【図３】は８個の電極により空間に並列に３個の干渉領域を発生させる場合の電極配置と接続を示す。
【図４】は腹直筋に対する電極配置を示す。
【図５】は脊柱起立筋に対する電極配置を示す。
【図６】は腹直筋および骨盤底筋に対する電極配置を示す。
【図７】は膝に対する電極配置の正面図である。
【図８】膝に対する電極配置の側面図である。
【図９】は腹直筋下部および骨盤底筋に対する電極配置を示す。
【図１０】は腹直筋下部および骨盤底筋および子宮に対する電極配置を示す。
【図１１】は子宮に対する電極配置を示す。
【図１２】は装置全体の構成を示す。
【図１３】は装置全体の接続を示す。
【図１４】は電極部を膝に装着した状態を示す。
【符号の説明】
【００９６】２ａ    第一の信号源２ｂ    第二の信号源３ａ    第一の電界３ｂ    第二の電界３ｃ    第三の電界３ｄ    第四の電界３ｅ    第五の電界３ｆ    第六の電界３１    第一の電極３２    第二の電極３３    第三の電極３４    第四の電極３５    第五の電極３６    第六の電極３７    第七の電極３８    第八の電極４１    第一の干渉領域４２    第二の干渉領域４３    第三の干渉領域５１    電極固定布５２    電極コネクター５３    電極側コネクター５４    ケーブル５５    信号源側コネクター５６    信号源部５７    信号源コネクター５８    電極部
【図１】
2018079264.tif 000003
【図２】
2018079264.tif 000004
【図３】
2018079264.tif 000005
【図４】
2018079264.tif 000006
【図５】
2018079264.tif 000007
【図６】
2018079264.tif 000008
【図７】
2018079264.tif 000009
【図８】
2018079264.tif 000010
【図９】
2018079264.tif 000011
【図１０】
2018079264.tif 000012
【図１１】
2018079264.tif 000013
【図１２】
2018079264.tif 000014
【図１３】
2018079264.tif 000015
【図１４】
2018079264.tif 000016
【図１５】
2018079264.tif 000017
【手続補正書】
【提出日】平成29年3月22日(2017.3.22)
【手続補正２】
【補正対象書類名】明細書
【補正対象項目名】０００１
【補正方法】削除
【補正の内容】
【手続補正３】
【補正対象書類名】明細書
【補正対象項目名】００９５
【補正方法】変更
【補正の内容】
【００９５】
【図１】は６個の電極により空間に２個の干渉領域を発生させる場合の電極配置と接続を示す。
【図２】は８個の電極により空間に直列に３個の干渉領域を発生させる場合の電極配置と接続を示す。
【図３】は８個の電極により空間に並列に３個の干渉領域を発生させる場合の電極配置と接続を示す。
【図４】は腹直筋に対する電極配置を示す。
【図５】は脊柱起立筋に対する電極配置を示す。
【図６】は腹直筋および骨盤底筋に対する電極配置を示す。
【図７】は膝に対する電極配置の正面図である。
【図８】膝に対する電極配置の側面図である。
【図９】は腹直筋下部および骨盤底筋に対する電極配置を示す。
【図１０】は腹直筋下部および骨盤底筋および子宮に対する電極配置を示す。
【図１１】は子宮に対する電極配置を示す。
【図１２】は装置全体の構成を示す。
【図１３】は装置全体の接続を示す。
【図１４】は電極部を膝に装着した状態を示す。
【手続補正４】
【補正対象書類名】図面
【補正対象項目名】図１５
【補正方法】削除
【補正の内容】
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
装置は周波数が１ｋHz以上である交流刺激信号を発生する第一の信号源と周波数が第一の信号源の周波数と同一ではなく２００Hz以下の差である交流刺激信号を発生する第二の信号源と被治療者の身体に装着する第一から第六の電極を持ち、
第一の電極と第三の電極はともに第一の信号源の一端に接続され、
第二の電極は第一の信号源の他端に接続され、
第四の電極と第六の電極はともに第二の信号源の一端に接続され、
第五の電極は第二の信号源の他端に接続され、
第一の電極と第二の電極が発生する電界を第一の電界とし、
第二の電極と第三の電極が発生する電界を第二の電界とし、
第四の電極と第五の電極が発生する電界を第三の電界とし、
第五の電極と第六の電極が発生する電界を第四の電界としたとき、
第一の電極と第二の電極および第四の電極と第五の電極は第一の電界と第三の電界が空間で交差するように配置されて第一の干渉領域を発生し、
第三の電極および第六の電極は第二の電界と第四の電界が空間で交差するように配置されて第二の干渉領域を発生し、
第一の電極と第四の電極は腹直筋上部の正中線の両側に配置され、
第二の電極と第五の電極は腹直筋中部の正中線の両側に配置され、
第三の電極と第六の電極は腹直筋下部の正中線の両側に配置されることを特徴とする低周波治療装置。
【請求項２】
装置は周波数が１ｋHz以上である交流刺激信号を発生する第一の信号源と周波数が第一の信号源の周波数と同一ではなく２００Hz以下の差である交流刺激信号を発生する第二の信号源と被治療者の身体に装着する第一から第六の電極を持ち、
第一の電極と第三の電極はともに第一の信号源の一端に接続され、
第二の電極は第一の信号源の他端に接続され、
第四の電極と第六の電極はともに第二の信号源の一端に接続され、
第五の電極は第二の信号源の他端に接続され、
第一の電極と第二の電極が発生する電界を第一の電界とし、
第二の電極と第三の電極が発生する電界を第二の電界とし、
第四の電極と第五の電極が発生する電界を第三の電界とし、
第五の電極と第六の電極が発生する電界を第四の電界としたとき、
第一の電極と第二の電極および第四の電極と第五の電極は第一の電界と第三の電界が空間で交差するように配置されて第一の干渉領域を発生し、
第三の電極および第六の電極は第二の電界と第四の電界が空間で交差するように配置されて第二の干渉領域を発生し、
第一の電極と第四の電極は脊柱起立筋上部の脊柱の両側に配置され、
第二の電極と第五の電極は脊柱起立筋中部の脊柱の両側に配置され、
第三の電極と第六の電極は脊柱起立筋下部の脊柱の両側に配置されることを特徴とする低周波治療装置。
【請求項３】
装置は周波数が１ｋHz以上である交流刺激信号を発生する第一の信号源と周波数が第一の信号源の周波数と同一ではなく２００Hz以下の差である交流刺激信号を発生する第二の信号源と被治療者の身体に装着する第一から第六の電極を持ち、
第一の電極と第三の電極はともに第一の信号源の一端に接続され、
第二の電極は第一の信号源の他端に接続され、
第四の電極と第六の電極はともに第二の信号源の一端に接続され、
第五の電極は第二の信号源の他端に接続され、
第一の電極と第二の電極が発生する電界を第一の電界とし、
第二の電極と第三の電極が発生する電界を第二の電界とし、
第四の電極と第五の電極が発生する電界を第三の電界とし、
第五の電極と第六の電極が発生する電界を第四の電界としたとき、
第一の電極と第二の電極および第四の電極と第五の電極は第一の電界と第三の電界が空間で交差するように配置されて第一の干渉領域を発生し、
第三の電極および第六の電極は第二の電界と第四の電界が空間で交差するように配置されて第二の干渉領域を発生し、
第二の電極と第四の電極は膝頭の大腿側に配置され、
第一の電極と第五の電極は膝頭の下腿側に配置され、
第三の電極は膝窩部の下腿側に配置され、
第六の電極は膝窩部の大腿側に配置されることを特徴とする低周波治療装置。
【請求項４】
装置は周波数が１ｋHz以上である交流刺激信号を発生する第一の信号源と周波数が第一の信号源の周波数と同一ではなく２００Hz以下の差である交流刺激信号を発生する第二の信号源と被治療者の身体に装着する第一から第六の電極を持ち、
第一の電極と第三の電極はともに第一の信号源の一端に接続され、
第二の電極は第一の信号源の他端に接続され、
第四の電極と第六の電極はともに第二の信号源の一端に接続され、
第五の電極は第二の信号源の他端に接続され、
第一の電極と第二の電極が発生する電界を第一の電界とし、
第二の電極と第三の電極が発生する電界を第二の電界とし、
第四の電極と第五の電極が発生する電界を第三の電界とし、
第五の電極と第六の電極が発生する電界を第四の電界としたとき、
第一の電極と第二の電極および第四の電極と第五の電極は第一の電界と第三の電界が空間で交差するように配置されて第一の干渉領域を発生し、
第三の電極および第六の電極は第二の電界と第四の電界が空間で交差するように配置されて第二の干渉領域を発生し、
第二の電極と第四の電極は肘の上腕部に配置され、
第一の電極と第五の電極は肘の前腕部に配置され、
第三の電極は肘の裏側の前腕部に配置され、
第六の電極は肘の裏側の上腕部に配置されることを特徴とする低周波治療装置。
【請求項５】
装置は周波数が１ｋHz以上である交流刺激信号を発生する第一の信号源と周波数が第一の信号源の周波数と同一ではなく２００Hz以下の差である交流刺激信号を発生する第二の信号源と被治療者の身体に装着する第一から第六の電極を持ち、
第一の電極と第三の電極はともに第一の信号源の一端に接続され、
第二の電極は第一の信号源の他端に接続され、
第四の電極と第六の電極はともに第二の信号源の一端に接続され、
第五の電極は第二の信号源の他端に接続され、
第一の電極と第二の電極が発生する電界を第一の電界とし、
第二の電極と第三の電極が発生する電界を第二の電界とし、
第四の電極と第五の電極が発生する電界を第三の電界とし、
第五の電極と第六の電極が発生する電界を第四の電界としたとき、
第一の電極と第二の電極および第四の電極と第五の電極は第一の電界と第三の電界が空間で交差するように配置されて第一の干渉領域を発生し、
第三の電極および第六の電極は第二の電界と第四の電界が空間で交差するように配置されて第二の干渉領域を発生し、
第二の電極と第四の電極は肩の首側に配置され、
第一の電極と第五の電極は肩の腕側に配置され、
第三の電極は脇の腕側に配置され、
第六の電極は脇の胴側に配置されることを特徴とする低周波治療装置。
【請求項６】
装置は周波数が１ｋHz以上である交流刺激信号を発生する第一の信号源と周波数が第一の信号源の周波数と同一ではなく２００Hz以下の差である交流刺激信号を発生する第二の信号源と被治療者の身体に装着する第一から第六の電極を持ち、
第一の電極と第三の電極はともに第一の信号源の一端に接続され、
第二の電極は第一の信号源の他端に接続され、
第四の電極と第六の電極はともに第二の信号源の一端に接続され、
第五の電極は第二の信号源の他端に接続され、
第一の電極と第二の電極が発生する電界を第一の電界とし、
第二の電極と第三の電極が発生する電界を第二の電界とし、
第四の電極と第五の電極が発生する電界を第三の電界とし、
第五の電極と第六の電極が発生する電界を第四の電界としたとき、
第一の電極と第二の電極および第四の電極と第五の電極は第一の電界と第三の電界が空間で交差するように配置されて第一の干渉領域を発生し、
第三の電極および第六の電極は第二の電界と第四の電界が空間で交差するように配置されて第二の干渉領域を発生し、
第一の電極と第四の電極は腹直筋中部の正中線の両側に配置され、
第二の電極と第五の電極は腹直筋下部の正中線の両側に配置され、
第三の電極と第六の電極は両側の臀部下部に配置されることを特徴とする低周波治療装置。
【請求項７】
装置は周波数が１ｋHz以上である交流刺激信号を発生する第一の信号源と周波数が第一の信号源の周波数と同一ではなく２００Hz以下の差である交流刺激信号を発生する第二の信号源と被治療者の身体に装着する第一から第六の電極を持ち、
第一の電極と第三の電極はともに第一の信号源の一端に接続され、
第二の電極は第一の信号源の他端に接続され、
第四の電極と第六の電極はともに第二の信号源の一端に接続され、
第五の電極は第二の信号源の他端に接続され、
第一の電極と第二の電極が発生する電界を第一の電界とし、
第二の電極と第三の電極が発生する電界を第二の電界とし、
第四の電極と第五の電極が発生する電界を第三の電界とし、
第五の電極と第六の電極が発生する電界を第四の電界としたとき、
第一の電極と第二の電極および第四の電極と第五の電極は第一の電界と第三の電界が空間で交差するように配置されて第一の干渉領域を発生し、
第三の電極および第六の電極は第二の電界と第四の電界が空間で交差するように配置されて第二の干渉領域を発生し、
第二の電極と第五の電極は両側の鼠蹊部に配置され、
第一の電極と第四の電極は仙骨の上部の両側に配置され、
第三の電極と第六の電極は仙骨の下部の両側に配置されることを特徴とする低周波治療装置。
【請求項８】
装置は周波数が１ｋHz以上である交流刺激信号を発生する第一の信号源と周波数が第一の信号源と同一ではなく２００Hz以下の差である交流刺激信号を発生する第二の信号源と被治療者の身体に装着する第一から第八の電極を持ち、
第一の電極と第三の電極はともに第一の信号源の一端に接続され、
第二の電極と第七の電極はともに第一の信号源の他端に接続され、
第四の電極と第六の電極はともに第二の信号源の一端に接続され、
第五の電極と第八の電極はともに第二の信号源の他端に接続され、
第一の電極と第二の電極が発生する電界を第一の電界とし、
第二の電極と第三の電極が発生する電界を第二の電界とし、
第四の電極と第五の電極が発生する電界を第三の電界とし、
第五の電極と第六の電極が発生する電界を第四の電界とし、
第三の電極と第七の電極が発生する電界を第五の電界とし、
第六の電極と第八の電極が発生する電界を第六の電界としたとき、
第一の電極と第二の電極および第四の電極と第五の電極は第一の電界と第三の電界が空間で交差するように配置されて第一の干渉領域を発生し、
第三の電極および第六の電極は第二の電界と第四の電界が空間で交差するように配置されて第二の干渉領域を発生し、
第七の電極と第八の電極は第五の電界と第六の電界が空間で交差するように配置されて第三の干渉領域を発生し、
第一の電極と第四の電極は腹直筋上部の正中線の両側に配置され、
第二の電極と第五の電極は腹直筋中部の正中線の両側に配置され、
第三の電極と第六の電極は両側の鼠蹊部に配置され、
第七の電極と第八の電極は両側の臀部に配置されることを特徴とする低周波治療装置。
【請求項９】
装置は周波数が１ｋHz以上である交流刺激信号を発生する第一の信号源と周波数が第一の信号源の周波数と同一ではなく２００Hz以下の差である交流刺激信号を発生する第二の信号源と被治療者の身体に装着する第一から第八の電極を持ち、
第一の電極と第三の電極と第七の電極はともに第一の信号源の一端に接続され、
第二の電極は第一の信号源の他端に接続され、
第四の電極と第六の電極と第八の電極はともに第二の信号源の一端に接続され、
第五の電極は第二の信号源の他端に接続され、
第一の電極と第二の電極が発生する電界を第一の電界とし、
第二の電極と第三の電極が発生する電界を第二の電界とし、
第四の電極と第五の電極が発生する電界を第三の電界とし、
第五の電極と第六の電極が発生する電界を第四の電界とし、
第二の電極と第七の電極が発生する電界を第五の電界とし、
第五の電極と第八の電極が発生する電界を第六の電界としたとき、
第一の電極と第二の電極および第四の電極と第五の電極は第一の電界と第三の電界が空間で交差するように配置されて第一の干渉領域を発生し、
第三の電極および第六の電極は第二の電界と第四の電界が空間で交差するように配置されて第二の干渉領域を発生し、
第七の電極と第八の電極は第五の電界と第六の電界が空間で交差するように配置されて第三の干渉領域を発生し、
第一の電極と第四の電極は腹直筋中部の正中線の両側に配置され、
第二の電極と第五の電極は両側の鼠蹊部に配置され、
第三の電極と第六の電極は両側の臀部下部に配置され、
第七の電極と第八の電極は仙骨の両側に配置されることを特徴とする低周波治療装置。
【請求項１０】
被治療者の身体に装着する各電極が帯状の布に固定された電極部と、前記第一の信号源及び第二の信号源を収納した信号源部を持ち、
前記電極部はコネクターを介してケーブルによって前記信号源部に接続され、
前記電極部は洗浄可能であることを特徴とする請求項１から請求項９のいずれかに記載の低周波治療装置。
【手続補正２】
【補正対象書類名】明細書
【補正対象項目名】全文
【補正方法】変更
【補正の内容】
【発明の詳細な説明】
【技術分野】
【０００１】
本発明は異なる周波数の２種類の刺激信号を身体に印可してその干渉低周波により治療を行う干渉低周波治療装置に関する。
【背景技術】
【０００２】
従来の電気刺激は筋肉訓練や疼痛を緩和するために筋肉や神経に対して電気刺激を与える経皮の刺激治療である。
【０００３】
電気刺激法の進歩によりリンパ液の流動促進や静脈循環の改善や膀胱平滑筋の安定や関節嚢液の流動促進や大小腸の過蠕動の阻止或いは蠕動の促進やさらに骨盤底筋強化などの治療手法が開発され、これらの手法によって膝や腰や肩の退化性関節炎治療やさらに尿失禁や肛失禁や頻尿や便秘の治療に利用されている。
【０００４】
関節や臓器など体の深部まで作用させるには、単純な２００Hz以下の刺激信号では身体の抵抗が大きく効果は望めない。
【０００５】
そこで身体に刺激としてはあまり感じずかつ身体の抵抗が低い数KHz の周波数の信号源を２個用意し、その周波数を身体に刺激として生理的効果のある２００HZ以下の差をつけることにより干渉低周波領域を発生し身体の深部まで刺激を与える手法が一般的である。
【発明の開示】
【発明が解決しようとする課題】
【０００６】
通常の干渉低周波治療装置は２個の信号源と４個の電極を有して１個の干渉領域を発生させるが、腹直筋や脊柱起立筋のような大きな筋肉に対しては干渉領域の面積を十分大きくすることが困難であり、さらに刺激を与える器官は通常一カ所に限定される。
【０００７】
また電極の位置は対象とする器官に対して正確に配置されなければならずさらにその接続方法は複雑で現状では専門の治療師などに頼らざるを得ない。
【課題を解決するための手段】
【０００８】
以下治療等とは患部の治療並びに筋肉の強化訓練を表す。
【０００９】
上記の課題を解決するため請求項１から請求項７に係る発明は周波数の異なる第一の信号源２ａと第二の信号源２ｂおよび第一の電極３１から第六の電極３６を用意し、その接続と電極配置により空間に２個の独立した干渉領域を発生させて広範囲の領域や複数の器官に対して同時に刺激を与える手段を提供する。
【００１０】
具体的には、請求項１に係る発明は、第一の電極と第四の電極は腹直筋上部の正中線の両側に配置され、第二の電極と第五の電極は腹直筋中部の正中線の両側に配置され、第三の電極と第六の電極は腹直筋下部の正中線の両側に配置される。
【００１１】
請求項２に係る発明は、第一の電極と第四の電極は脊柱起立筋上部の脊柱の両側に配置され、第二の電極と第五の電極は脊柱起立筋中部の脊柱の両側に配置され、第三の電極と第六の電極は脊柱起立筋下部の脊柱の両側に配置される。
【００１２】
請求項３に係る発明は、第二の電極と第四の電極は膝頭の大腿側に配置され、第一の電極と第五の電極は膝頭の下腿側に配置され、第三の電極は膝窩部の下腿側に配置され、第六の電極は膝窩部の大腿側に配置される。
【００１３】
請求項４に係る発明は、第二の電極と第四の電極は肘の上腕部に配置され、第一の電極と第五の電極は肘の前腕部に配置され、第三の電極は肘の裏側の前腕部に配置され、第六の電極は肘の裏側の上腕部に配置される。
【００１４】
請求項５に係る発明は、第二の電極と第四の電極は肩の首側に配置され、第一の電極と第五の電極は肩の腕側に配置され、第三の電極は脇の腕側に配置され、第六の電極は脇の胴側に配置される。
【００１５】
請求項６に係る発明は、第一の電極と第四の電極は腹直筋中部の正中線の両側に配置され、第二の電極と第五の電極は腹直筋下部の正中線の両側に配置され、第三の電極と第六の電極は両側の臀部下部に配置される。
【００１６】
請求項７に係る発明は、第二の電極と第五の電極は両側の鼠蹊部に配置され、第一の電極と第四の電極は仙骨の上部の両側に配置され、第三の電極と第六の電極は仙骨の下部の両側に配置される。
【００１７】
また、上記の課題を解決するため請求項８から請求項９に係る発明は周波数の異なる第一の信号源２ａと第二の信号源２ｂおよび第一の電極３１から第八の電極３８を用意し、その接続と電極配置により空間に３個の独立した干渉領域を発生させて広範囲の領域や複数の器官に対して同時に刺激を与える手段を提供する。
【００１８】
具体的には、請求項８に係る発明は、第一の電極と第四の電極は腹直筋上部の正中線の両側に配置され、第二の電極と第五の電極は腹直筋中部の正中線の両側に配置され、第三の電極と第六の電極は両側の鼠蹊部に配置され、第七の電極と第八の電極は両側の臀部に配置される。
【００１９】
請求項９に係る発明は、第一の電極と第四の電極は腹直筋中部の正中線の両側に配置され、第二の電極と第五の電極は両側の鼠蹊部に配置され、第三の電極と第六の電極は両側の臀部下部に配置され、第七の電極と第八の電極は仙骨の両側に配置される。
【００２０】
請求項１０に係る発明は、請求項１〜９に従属し、電極を帯状の電極固定布５１に固定することにより身体への電極の装着を正確かつ容易にして家庭での治療等を可能にする手段を提供する。
【発明の効果】
【００２１】
本発明により広範囲の器官に刺激を与えることが可能となる。
【００２２】
複数の器官や体の深部に刺激を与えることが可能となる。
【００２３】
高度な治療等を家庭でも実施することが可能となる。
【発明を実施するための最良の形態】
【００２４】
以下に述べる実施例１〜実施例７は、第一の電極から第六の電極を用いて２個の独立した干渉領域を発生させてそれぞれの領域や複数の器官に対して同時に刺激を与える手段を提供するものである。また、実施例８〜実施例９は、第一の電極から第八の電極を用いて３個の独立した干渉領域を発生させてそれぞれの領域や複数の器官に対して同時に刺激を与える手段を提供するものである。さらに、実施例１０は、実施例１から実施例９の態様を実際に身体に装着する例を示すものである。
【実施例１】
【００２５】
実施例１は、６個の電極により空間に２個の干渉領域を発生させる場合の電極配置と接続に関し、特に、第一の電極と第四の電極は腹直筋上部の正中線の両側に配置され、第二の電極と第五の電極は腹直筋中部の正中線の両側に配置され、第三の電極と第六の電極は腹直筋下部の正中線の両側に配置される
【００２６】
図１及び図４に実施例１における接続と電極配置を示す。
【００２７】
本装置は周波数が１ｋHz以上である交流刺激信号を発生する第一の信号源２aと周波数が第一の信号源の周波数と同一ではなく２００Hz以下の差の周波数である交流刺激信号を発生する第二の信号源２ｂおよび被治療者の身体に装着する第一の電極３１から第六の電極３６を持つ。
【００２８】
第一の電極３１と第三の電極３３はともに第一の信号源２aの一端に接続され、第二の電極３２は第一の信号源2aの他端に接続され、第四の電極３４と第六３６の電極はともに第二の信号源２ｂの一端に接続され、第五の電極35は第二の信号源２ｂの他端に接続される。
【００２９】
この接続において、
第一の信号源２ａの両端に接続された第一の電極３１と第二の電極３２が発生する電界を第一の電界３aとし、第二の信号源２ｂの両端に接続された第四の電極３４と第五の電極３５が発生する電界を第三の電界３ｃとしたとき
第一の電極３１と第二の電極３２および第四の電極３４と第五の電極３５は第一の電界３ａと第三の電界３ｃが空間で交差するように配置される。
【００３０】
この電極配置により第一の電界３ａと第三の電界３ｃが交差する空間には第一の信号源２ａの周波数と第二の信号源２ｂの周波数の差の周波数で変調された第一の干渉領域４１が発生する。
【００３１】
また、第一の信号源２ａの両端に接続された第二の電極３２と第三の電極３３が発生する電界を第二の電界３ｂとし、第二の信号源２ｂの両端に接続された第五の電極３５と第六の電極３６が発生する電界を第四の電界３ｄとしたとき
第三の電極３３および第六の電極３６は第二の電界３ｂと第四の電界３ｄが空間で交差するように配置される。
【００３２】
この電極配置により第二の電界３ｂと第四の電界３ｄが交差する空間には第一の信号源２ａの周波数と第二の信号源２ｂの周波数の差の周波数で変調された第二の干渉領域４２が発生する。
【００３３】
この接続と電極配置により空間に2個の干渉領域４１と４２を発生することができる。
【００３４】
また、実施例１は腹直筋に刺激を与えるものであり、身体への電極配置を図４に示す。
【００３５】
図４に示すように、第一の電極３１と第四の電極３４を腹直筋上部の正中線の両側に配置し、第二の電極３２と第五の電極３５を腹直筋中部の正中線の両側に配置して第一の干渉領域４１を発生させることにより腹直筋の上部を刺激する。
【００３６】
また第三の電極３３と第六の電極３６を腹直筋下部の正中線の両側に配置して第二の電極３２と第五の電極３５とともに第二の干渉領域４２を発生させることにより腹直筋の下部を刺激する。
【００３７】
この電極の配置により第一の干渉領域４１と第二の干渉領域４２が腹直筋全体を覆って効果的に刺激を与えることができる。
【実施例２】
【００３８】
図１及び図５に実施例２における接続と電極配置を示す。
【００３９】
実施例２における各電極と各信号源間の接続は実施例１と同じであるが、電極を配置する身体の部位が実施例１と異なっている。
【００４０】
実施例２は、脊柱起立筋に刺激を与えるものである。
【００４１】
図５に示すように、
第一の電極３１と第四の電極３４を脊柱起立筋上部の脊柱の両側に配置し、第二の電極３２と第五３５の電極を脊柱起立筋中部の脊柱の両側に配置して第一の干渉領域４１を発生させることにより脊柱起立筋の上部を刺激する。
【００４２】
また、第三の電極３３と第六の電極３６を脊柱起立筋下部の脊柱の両側に配置して第二の電極３２と第五の電極３５とともに第二の干渉領域４２を発生させることにより脊柱起立筋の下部を刺激する。
【００４３】
この電極の配置により第一の干渉領域４１と第二の干渉領域４２が脊柱起立筋全体を覆って効果的に刺激を与えることができる。
【実施例３】
【００４４】
実施例３における各電極と各信号源間の接続は実施例１と同じであるが、電極を配置する身体の部位が実施例１と異なっている。
【００４５】
図１、図７、及び図８に実施例３における接続と電極配置を示す。
【００４６】
図７は膝を正面から見た図である。
【００４７】
図８は膝を側面から見た図である。
【００４８】
第二の電極３２と第四の電極３４を膝頭の大腿側に配置し第一の電極３１と第五の電極３５を膝頭の下腿側に配置して第一の干渉領域４１を膝関節の正面に発生させることにより痛点を刺激する。
【００４９】
さらに、第三の電極３３を膝窩部の下腿側に配置し第六の電極３６を膝窩部の大腿側に配置して第二の電極３２と第五の電極３５とともに第二の干渉領域４２を発生させることにより関節液やリンパ液の循環を促す。
【００５０】
この電極配置により関節の疼痛を緩和し同時に関節液やリンパ液の循環を促すことができる。
【実施例４】
【００５１】
実施例４における各電極と各信号源間の接続は実施例１と同じであるが、電極を配置する身体の部位が実施例１と異なっている。
【００５２】
すなわち、実施例４においては、肘の関節に適用する。
【００５３】
つまり、第二の電極３２と第四の電極３４を肘の上腕側に配置し、第一の電極３１と第五の電極３５を肘の前腕側に配置して、第一の干渉領域４１を肘関節の正面に発生させることにより痛点を刺激する。
【００５４】
さらに、第三の電極３３を肘の裏側の前腕部に配置し、第六の電極３６を肘の裏側の上腕部に配置して、第二の電極３２と第五の電極３５とともに第二の干渉領域４２を発生させることにより関節液やリンパ液の循環を促す。
【００５５】
この電極配置により関節の疼痛を緩和し同時に関節液やリンパ液の循環を促すことができる。
【実施例５】
【００５６】
実施例５における各電極と各信号源間の接続は実施例１と同じであるが、電極を配置する身体の部位が実施例１と異なっている。
【００５７】
すなわち、実施例５においては、肩の関節に適用する。
【００５８】
つまり、第二の電極３２と第四の電極３４を肩の首側に配置し、第一の電極３１と第五の電極３５を肩の腕側に配置して、第一の干渉領域４１を肩関節に発生させることにより痛点を刺激する。
【００５９】
さらに、第三の電極３３を脇の腕側に配置し、第六の電極３６を脇の胴側に配置して、第二の電極３２と第五の電極３５とともに第二の干渉領域４２を発生させることにより関節液やリンパ液の循環を促す。
【００６０】
この電極配置により関節の疼痛を緩和し同時に関節液やリンパ液の循環を促すことができる。
【実施例６】
【００６１】
実施例６における各電極と各信号源間の接続は実施例１と同じであるが、電極を配置する身体の部位が実施例１と異なっている。
【００６２】
すなわち、実施例６においては、腹直筋下部および骨盤底筋に適用する。
【００６３】
図９に示すように、第一の電極３１と第四の電極３４を臍部の正中線の両側に配置され第二の電極３２と第五の電極３５を腹直筋下部の正中線の両側に配置して第一の干渉領域４１を発生させることにより腹直筋下部を刺激する。
【００６４】
また、第三の電極３３と第六の電極３６を両側の臀部下部に配置して第二の電極３２と第五の電極３５とともに第二の干渉領域４２を発生させることにより骨盤底筋を刺激する。
【００６５】
この電極配置により腹直筋下部および骨盤底筋に同時に刺激を与えることができる。
【実施例７】
【００６６】
実施例７における各電極と各信号源間の接続は実施例１と同じであるが、電極を配置する身体の部位が実施例１と異なっている。
【００６７】
すなわち、実施例７においては、子宮全体に適用するものである。
【００６８】
図１１に示すように、第二の電極３２と第五の電極３５を両側の鼠蹊部に配置し、第一の電極３１と第四の電極３４を仙骨上部の両側に配置して、第一の干渉領域４１を発生させることにより子宮上部を刺激する。
【００６９】
また、第三の電極３３と第六の電極３６を仙骨の下部の両側に配置して第二の電極３２と第五の電極３５とともに第二の干渉領域４２を発生させることにより子宮下部を刺激する。
【００７０】
この電極配置により子宮全体に刺激を与え生理痛を緩和することができる。
【実施例８】
【００７１】
実施例８は、８個の電極により空間に直列に３個の干渉領域を発生させる場合の電極配置と接続に関し、特に、腹直筋と骨盤底筋に適用するものである。
【００７２】
図２に実施例８における接続と電極配置を示す。
【００７３】
装置は実施例１と同様異なる周波数の第一の信号源２a第二の信号源２ｂを持ち、さらに第一の電極３１から第八の電極３８を持つ。
【００７４】
第一の電極３１と第三の電極３３はともに第一の信号源２aの一端に接続され、第二の電極３２と第七電極の３７はともに第一の信号源２aの他端に接続され、第四の電極３４と第六の電極３６はともに第二の信号源２ｂの一端に接続され、第五の電極３５と第八の電極３８はともに第二の信号源２ｂの他端に接続される。
【００７５】
この接続において、
第一の信号源２ａの両端に接続された第一の電極３１と第二の電極３２が発生する電界を第一の電界３aとし、
第二の信号源２ｂの両端に接続された第四の電極３４と第五の電極３５が発生する電界を第三の電界３ｃとしたとき、
第一の電極３１と第二の電極３２および第四の電極３４と第五の電極３５は第一の電界３aと第三の電界３ｃが空間で交差するように配置される。
【００７６】
この電極配置により第一の電界３ａと第三の電界３ｃが交差する空間には第一の信号源２ａの周波数と第二の信号源２ｂの周波数の差の周波数で変調された第一の干渉領域４１が発生する。
【００７７】
また、第一の信号源２ａの両端に接続された第二の電極３２と第三の電極３３が発生する電界を第二の電界３ｂとし、
第二の信号源２ｂの両端に接続された第五の電極３５と第六の電極３６が発生する電界を第四の電界３ｄとしたとき、
第三の電極３３および第六の電極３６は第二の電界３ｂと第四の電界３ｄが空間で交差するように配置される。
【００７８】
この電極配置により第二の電界３ｂと第四の電界３ｄが交差する空間には第一の信号源２ａの周波数と第二の信号源２ｂの周波数の差の周波数で変調された第二の干渉領域４２が発生する。
【００７９】
さらに、第一の信号源の両端に接続された第三の電極３３と第七の電極３７が発生する電界を第五の電界３eとし、
第二の信号源の両端に接続された第六の電極３６と第八の電極３８が発生する電界を第六の電界３ｆとしたとき、
第七の電極３７および第八の電極３８は第五の電界３ｅと第六の電界３ｆが空間で交差するように配置される。
【００８０】
この電極配置により第五の電界３ｅと第六の電界３ｆが交差する空間には第一の信号源２ａの周波数と第二の信号源２ｂの周波数の差の周波数で変調された第三の干渉領域４３が発生する。
【００８１】
この接続と電極配置により空間に直列に３個の干渉領域４１と４２と４３を発生することができる。
【００８２】
図６に実施例８における身体への電極配置を示す。
【００８３】
図６に示すように、
第一の電極３１と第四の電極３４を腹直筋上部の正中線の両側に配置し、
第二の電極３２と第五３５の電極を腹直筋中部の正中線の両側に配置して第一の干渉領域４１を発生させることにより腹直筋の上部を刺激する。
【００８４】
また、第三の電極３３と第六の電極３６を腹直筋下部の正中線の両側に配置して第二の電極３２と第五の電極３５とともに第二の干渉領域４２を発生させることにより腹直筋の下部を刺激する。
【００８５】
さらに、第七の電極３７と第八の電極３８を両側の臀部に配置して第三の電極３３と第六の電極３６とともに第三の干渉領域４３を発生させることにより骨盤底筋を刺激する。
【００８６】
この電極の配置により腹直筋全体と骨盤底筋に同時に刺激を与えることができる。
【実施例９】
【００８７】
実施例９は、８個の電極により空間に並列に３個の干渉領域を発生させる場合の電極配置と接続に関する。
【００８８】
図３に実施例９の接続と電極配置を示す。
【００８９】
装置は実施例８と同様異なる周波数の第一の信号源２a第二の信号源２ｂと第一の電極３１から第八の電極３８を持つ。
【００９０】
第二の電極３２と第五の電極３５の対に対向して第一の電極３１と第四の電極３４の対および第三の電極３３と第六の電極３６の対ならびに第七の電極３７と第八の電極３８の対が配置される。
【００９１】
さらに、第一の電極３１と第三の電極３３と第七の電極３７はともに第一の信号源２aの一端に接続され、第二の電極３２は第一の信号源２aの他端に接続され、第四の電極３４と第六の電極３６と第八の電極３８はともに第二の信号源２ｂの一端に接続され、第五の電極は第二の信号源２ｂの他端に接続される。
【００９２】
この接続において、
第一の信号源２ａの両端に接続された第一の電極３１と第二の電極３２が発生する電界を第一の電界３aとし、
第二の信号源２ｂの両端に接続された第四の電極３４と第五の電極３５が発生する電界を第三の電界３ｃとしたとき、
第一の電極３１と第二の電極３２および第四の電極３４と第五の電極３５は第一の電界３aと第三の電界３ｃが空間で交差するように配置される。
【００９３】
この電極配置により第一の電界３ａと第三の電界３ｃが交差する空間には第一の信号源２ａの周波数と第二の信号源２ｂの周波数の差の周波数で変調された第一の干渉領域４１が発生する。
【００９４】
また、第一の信号源の２ａ両端に接続された第二の電極３２と第三の電極３３が発生する電界を第二の電界３ｂとし、
第二の信号源２ｂの両端に接続された第五の電極３５と第六の電極３６が発生する電界を第四の電界３ｄとしたとき
第三の電極３３および第六の電極３６は第二の電界３ｂと第四の電界３ｄが空間で交差するように配置される。
【００９５】
この電極配置により第二の電界３ｂと第四の電界３ｄが交差する空間には第一の信号源２ａの周波数と第二の信号源２ｂの周波数の差の周波数で変調された第二の干渉領域４２が発生する。
【００９６】
さらに、第一の信号源２ａの両端に接続された第二の電極３２と第七の電極３７が発生する電界を第五の電界３ｅとし、
第二の信号源２ｂの両端に接続された第五の電極３５と第八の電極３８が発生する電界を第六の電界３ｆとしたとき
第七の電極３７および第八の電極３８は第五の電界３ｅと第六の電界３ｆが空間で交差するように配置される。
【００９７】
この電極配置により第五の電界３ｅと第六の電界３ｆが交差する空間には第一の信号源２ａの周波数と第二の信号源２ｂの周波数の差の周波数で変調された第三の干渉領域４３が発生する。
【００９８】
この接続と電極配置により空間に並列に３個の干渉領域４１と４２と４３を発生することができる。
【００９９】
図１０に実施例９における身体への電極配置を示す。
【０１００】
図１０に示すように、
第一の電極３１と第四の電極３４を腹直筋中部の正中線の両側に配置し第二の電極３２と第五の電極３５を両側の鼠蹊部に配置して第一の干渉領域４１を発生させることにより腹直筋下部を刺激する。
【０１０１】
また、第三の電極３３と第六の電極３６を両側の臀部下部に配置して第二の電極３２と第五の電極３５とともに第二の干渉領域４２を発生することにより骨盤底筋を刺激する。
【０１０２】
さらに、第七の電極３７と第八の電極３８を仙骨の両側に配置して第二の電極３２と第五の電極３５とともに第三の干渉領域４３を発生させることにより子宮を刺激する。
【０１０３】
この電極配置により腹直筋下部および骨盤底筋並びに子宮に同時に刺激を与え産後の回復を促進することができる。
【実施例１０】
【０１０４】
実施例１０は、実施例１から実施例９の態様を実際に身体に電極を装着する際の例を示すものである（図１２〜図１４参照）。
【０１０５】
装置は図１２に示すように帯状の電極固定布５１とそれに固定された第一の電極３１から第六の電極３６と電極コネクター５２で構成される電極部５８および第一の信号源２ａ並びに第二の信号源２と信号源コネクター５７で構成される信号源部５６を持ち、電極部５８と信号源部５６はその両端に各々電極側コネクター５３と信号源側コネクター５５を持つケーブル５４で接続される。
【０１０６】
電極固定布５１の素材は弾力のある布で、端部にマジックテープ（登録商標）を装着するのが望ましい。
【０１０７】
電極部５８は洗濯に耐えることが望ましい。
【０１０８】
図１３に電極部５８と信号源部５６およびケーブル５４の接続を示す。
【０１０９】
第一の電極３１から第六の電極３６は電極部５８の電極コネクター５２とケーブル５４および信号源部の信号源コネクター５７を介して第一の信号源２ａおよび第二の信号源２ｂに接続されることにより実施例１〜９の接続が実現される。
【０１１０】
さらに図１４に電極部を膝に装着した状態を示す。
【０１１１】
図１２に示す電極配置と図１３に示す接続並びに図１４に示す装着によって第一の干渉領域４１および第二の干渉領域４２を発生させることにより膝の痛点と関節内部に刺激を与えることができ、かつ膝への装着が正確で簡単に実施できて従来困難であった家庭での高度な治療等が可能になる。
【０１１２】
実施例１０においては膝に適用する例を示したが、電極部５８を適宜設計することにより他の部位に適用できることは自明である。
【図面の簡単な説明】
【０１１３】
図１は、６個の電極により空間に直列に２個の干渉領域を発生させる場合の電極配置と接続を示す。
図２は、８個の電極により空間に直列に３個の干渉領域を発生させる場合の電極配置と接続を示す。
図３は、８個の電極により空間に並列に３個の干渉領域を発生させる場合の電極配置と接続を示す。
図４は、腹直筋に対する電極配置を示す。
図５は、脊柱起立筋に対する電極配置を示す。
図６は、腹直筋および骨盤底筋に対する電極配置を示す。
図７は、膝に対する電極配置の正面図である。
図８は、膝に対する電極配置の側面図である。
図９は、腹直筋下部および骨盤底筋に対する電極配置を示す。
図１０は、腹直筋下部および骨盤底筋および子宮に対する電極配置を示す。
図１１は、子宮に対する電極配置を示す。
図１２は、装置全体の構成を示す。
図１３は、装置全体の接続を示す。
図１４は、電極部を膝に装着した状態を示す。
【符号の説明】
【０１１４】
２ａ    第一の信号源
２ｂ    第二の信号源
３ａ    第一の電界
３ｂ    第二の電界
３ｃ    第三の電界
３ｄ    第四の電界
３ｅ    第五の電界
３ｆ    第六の電界
３１    第一の電極
３２    第二の電極
３３    第三の電極
３４    第四の電極
３５    第五の電極
３６    第六の電極
３７    第七の電極
３８    第八の電極
４１    第一の干渉領域
４２    第二の干渉領域
４３    第三の干渉領域
５１    電極固定布
５２    電極コネクター
５３    電極側コネクター
５４    ケーブル
５５    信号源側コネクター
５６    信号源部
５７    信号源コネクター
５８    電極部